【手続補正書】
【提出日】平成15年12月24日(2003.12.24)
【手続補正１】
【補正対象書類名】明細書
【補正対象項目名】特許請求の範囲
【補正方法】変更
【補正の内容】
【特許請求の範囲】
【請求項１】
降下差圧を利用し、複数のずり速度で非ニュートン流体の粘度を測定する装置であって、
水平基準位置から上に揚げられた非ニュートン流体源と、
非ニュートン流体源と流体連通する第１端部と、第２端部を有する毛細管と、
該毛細管の該第２端部に接続された１端と、大気圧に露出された他端とを有し、水平基準位置に対して０°を超える角度に配置される上昇管と、
降下差圧によって生じ、非ニュートン流体が流体源から毛細管を通り上昇管内へ移動する際に、複数のずり速度で上昇管を通る非ニュートン流体の移動を検出するセンサであって、経時的に非ニュートン流体の移動に関するデータを生成するセンサと、
センサに接続され、経時的に非ニュートン流体の移動に関するデータに基づいて非ニュートン流体の粘度を計算するコンピュータと、
から成る装置。
【請求項２】
請求項１に記載の装置であって、該上昇管が、該水平基準位置に対して垂直に配置される装置。
【請求項３】
請求項１に記載の装置であって、該非ニュートン流体が生体の循環血液であり、非ニュートン流体源が生体の血管系である装置。
【請求項４】
生体内の循環血液の粘度測定を実施する装置であって、
生体の血管系に接続されるようにされたルーメンと、
生体から循環血液を受けるため、該ルーメンにそれぞれの第１端部が接続される１対の管であって、一方が既知のパラメータを有する毛細管から成る１対の管と、
生体の血管系から該１対の管への循環血流を制御するバルブと、
バルブに接続され、１対の管への血液の流入を可能するようにバルブを制御するアナライザであって、１対の管のそれぞれの内部の血液が、該管に対する各初期位置を取り、該アナライザが、生体の血管系から該１対の管を分離するよう該バルブを操作し、該１対の管内の血液の位置が変わるよう該１対の管を共に接続するようにもされ、該アナライザが、管の一方の血液の位置の変動を監視し、管の他方の少なくとも１つの血液の位置を検出し、それに基づいて血液の粘度を計算するようにもされるアナライザとから成る装置。
【請求項５】
請求項４に記載の装置であって、該管の該他方の少なくとも１つの血液の位置を検出するようにされる該アナライザが、該管の他方の血液位置の変動を監視することから成る装置。
【請求項６】
請求項４に記載の装置であって、該装置が、生体の循環血液の粘度測定をリアルタイムで実施するように適合される装置。
【請求項７】
請求項６に記載の装置であって、該管の各々が第２端部を有し、その上、該装置が、周囲大気へ該１対の管の該第２端部を換気する手段からさらに成る装置。
【請求項８】
請求項６に記載の装置であって、該アナライザが、血液位置の変動の該監視を実施するため、該１対の管の重量の変動を経時的に検出する装置。
【請求項９】
請求項６に記載の装置であって、該各初期位置が、該１対の管の一方に対する第１血液カラムの第１予備試験位置と、該１対の管の他方に対する第２血液カラムの第２予備試験位置から成り、該第１予備試験位置と該第２予備試験位置とが互いに異なる装置。
【請求項１０】
請求項９に記載の装置であって、該１対の管が直立方向にあり、該第１予備試験位置が、該第１血液カラムの第１初期高さから成り、該第２予備試験位置が、該第２血液カラムの第２初期高さから成る装置。
【請求項１１】
請求項１０に記載の装置であって、該アナライザが、該第１および第２血液カラムのカラム高さの変動を検出する装置。
【請求項１２】
請求項１１に記載の装置であって、該アナライザが、該カラムのそれぞれの上部に向かって発せられる信号の飛行時間を検出することで、カラム高さの変動を検出する装置。
【請求項１３】
請求項１２に記載の装置であって、該発せられる信号が音響信号である装置。
【請求項１４】
請求項１０に記載の装置であって、該アナライザが、該第１および第２血液カラムのカラム高さの変動を検出するデジタルビデオカメラを含む装置。
【請求項１５】
請求項１０に記載の装置であって、該アナライザが、血液位置の変動の該監視を実施するため、該第１および第２血液カラムの圧力の変動を経時的に検出する装置。
【請求項１６】
請求項６に記載の装置であって、該アナライザが、血液の位置の変動の該監視を実施するため、該１対の管の血液の体積の変動を検出する装置。
【請求項１７】
請求項６に記載の装置であって、環境制御手段からさらに成り、該環境制御手段が、該アナライザが該１対の管を共に接続する時間の間、生体の体温とほぼ同じ温度に該毛細管内の血液を維持する装置。
【請求項１８】
請求項１７に記載の装置であって、該環境制御手段が、該アナライザが該１対の管を共に接続する時間の間、生体の体温とほぼ同じ温度に該１対の管内の血液を維持する装置。
【請求項１９】
請求項９に記載の装置であって、該１対の管内の血液の該各初期位置が該アナライザの操作により設定される装置。
【請求項２０】
請求項１０に記載の装置であって、該第１初期高さと該第２初期高さとが該アナライザの操作により設定される装置。
【請求項２１】
請求項９に記載の装置であって、該１対の管内の血液の該位置の変動が、反対方向に移動する該第１および第２血液カラムの各レベルの移動から成り、該アナライザが、該各レベル間の異なる差の値を測定する装置。
【請求項２２】
請求項１０に記載の装置であって、該１対の管内の血液の該位置の変動が、該第１初期高さから離れる下降血液カラムと、該第２初期高さから離れる上昇血液カラムとから成り、該アナライザが、該上昇血液カラムの血液位置の変動を監視し、該下降血液カラムから該少なくとも１個の血液位置を検出する装置。
【請求項２３】
請求項２２に記載の装置であって、該少なくとも１個の血液位置が該第１初期高さである装置。
【請求項２４】
請求項１０に記載の装置であって、該アナライザが、ｈ1 （ｔ）−ｈ2 （ｔ）として知られる該血液カラムの該高さの差を経時的に測定し、ｈ1 （ｔ）が該第１血液カラムの該高さであり、ｈ2 （ｔ）が該第２血液カラムの該高さである装置。
【請求項２５】
請求項２４に記載の装置であって、該アナライザが、血液位置の変動を一定時間監視した後、Δｈとして知られる該血液カラムの該高さのオフセット値を検出する装置。
【請求項２６】
請求項２５に記載の装置であって、該アナライザが、以下によって得られるようなコンシステンシー指数ｋと指数法則指数ｎとを決定するため、ｈ1 （ｔ）−ｈ2 （ｔ）とΔｈとを用いて粘度を計算し、
【数１】
2003515123.tif 000001
式中
【数２】
2003515123.tif 000002
であり、式中
ｈ0 ＝ｈ1 （０）−ｈ2 （０）
Ｌc ＝毛細管の長さ、
ψc ＝毛細管の内径、
ψr ＝該血液カラムの内径でψc ＜＜＜ψr 、
ρ＝血液密度、
ｇ＝重力定数、
である装置。
【請求項２７】
請求項２６に記載の装置であって、該アナライザが、以下の等式のｎとｋの該決定された値を用いて粘度μを計算し、
【数３】
2003515123.tif 000003
式中
【数４】
2003515123.tif 000004
であり、式中
Ｑ＝該毛細管の流量、
φc ＝毛細管直径、
γ＝ずり速度である装置。
【請求項２８】
請求項６に記載の装置であって、該アナライザが、生体の脈管から該１対の管を分離するよう該バルブを操作し、同時に、該１対の管を共に同時に接続する装置。
【請求項２９】
請求項６に記載の装置であって、該アナライザが、該１対の管のそれぞれのモニタから成り、該モニタのそれぞれが、該各管の血液位置の変動を監視する装置。
【請求項３０】
請求項２９に記載の装置であって、該各モニタが、各光アレイと、電荷結合素子（ＣＣＤ）とから成る装置。
【請求項３１】
請求項３０に記載の装置であって、該各光アレイが、該管の長さに沿って各管を照射するために線形様式に配置された複数個の発光ダイオードから成る装置。
【請求項３２】
請求項４に記載の装置であって、該アナライザが、
該管の一方での血液位置の変動を監視するモニタと、
該管の他方での少なくとも１個の血液位置を検出する検出器とから成る装置。
【請求項３３】
請求項３２に記載の装置であって、該モニタが光アレイと、電荷結合素子（ＣＣＤ）とから成る装置。
【請求項３４】
請求項３３に記載の装置であって、該光アレイが、該管の長さに沿って該管の該一方を照射するために線形様式に配置された複数個の発光ダイオードから成る装置。
【請求項３５】
請求項３２に記載の装置であって、該検出器が発光ダイオードと光検出器とから成る装置。
【請求項３６】
請求項６に記載の装置であって、該１対の管が使い捨て式である装置。
【請求項３７】
請求項６に記載の装置であって、該バルブ機構が使い捨て式である装置。
【請求項３８】
生体の循環血液の粘度を測定する方法であって、
（ａ）循環血液の流入流を確立するために生体の循環血液への接近を提供する工程と、
（ｂ）流入流の各部分が通過する第１流路と第２流路に循環血液の流入流を分割する工程であって、第１または第２流路が幾つかの既知のパラメータを有する通路部分を含む工程と、
（ｃ）流入流から第１および第２流路を分離し、各流路内の血液位置が変わるように第１および第２流路を接続する工程と、
（ｄ）経時的に第１および第２流路の一方における血液の位置を監視する工程と、
（ｅ）第１および第２流路の他方で少なくとも１つの血液の位置を検出する工程と、
（ｆ）該血液の位置の変動と、該通路部分の選択された既知のパラメータとに基づいて循環血液の粘度を計算する工程とから成る方法。
【請求項３９】
請求項３８に記載の方法であって、該第１および第２流路の他方で少なくとも１つの血液の位置を検出する工程が、該第１および第２流路の該他方での血液の位置の変動の監視から成り、該粘度を計算する工程が、該第１および第２流路のそれぞれの該血液位置の変動と、該通路部分の該選択された既知のパラメータとに基づいて粘度を計算することから成る方法。
【請求項４０】
請求項３９に記載の方法であって、該循環血液の粘度を計算する工程が、リアルタイムで実施される方法。
【請求項４１】
請求項４０に記載の方法であって、該第１および第２流路が直立位置にある各血液カラムから成り、経時的に血液位置の変動を監視する該工程が、経時的に該第１および第２カラムのカラム高さの変動を監視することから成る方法。
【請求項４２】
請求項３８に記載の方法であって、該第１および第２流路が直立位置にある各血液カラムから成り、経時的に血液位置の変動を監視する該工程が、経時的に該第１および第２カラムの少なくとも一方のカラム高さの変動を監視することから成る方法。
【請求項４３】
請求項４１に記載の方法であって、該第１および第２カラムが周囲大気に換気される方法。
【請求項４４】
請求項４０に記載の方法であって、該第１および第２流路が、直立位置にある各カラムから成り、経時的に血液位置の変動を監視する該工程が、経時的に循環血液の該第１および第２カラムの重量の変動を監視することから成る方法。
【請求項４５】
請求項４０に記載の方法であって、該第１および第２流路が、直立位置にある各カラムから成り、経時的に血液位置の変動を監視する該工程が、該カラムのそれぞれの上部に向かって発せられる信号の飛行時間を監視することから成る方法。
【請求項４６】
請求項４５に記載の方法であって、該発せられる信号が音響信号である装置。
【請求項４７】
請求項４１に記載の装置であって、該カラム高さがデジタルビデオカメラによって監視される方法。
【請求項４８】
請求項４０に記載の方法であって、該第１および第２流路が、直立位置にある各カラムから成り、経時的に血液位置の変動を監視する該工程が、経時的に血液の該第１および第２カラムの圧力の変動を監視することから成る方法。
【請求項４９】
請求項４０に記載の方法であって、第１および第２流路が、直立位置にある各カラムから成り、経時的に血液位置の変動を監視する該工程が、経時的に循環血液の該第１および第２カラムの質量の変動を監視することから成る方法。
【請求項５０】
請求項４０に記載の方法であって、第１および第２流路が、直立位置にある各カラムから成り、経時的に血液位置の変動を監視する該工程が、経時的に循環血液の該第１および第２カラムの体積の変動を監視することから成る方法。
【請求項５１】
請求項４０に記載の方法であって、該第１および該流路での血液位置の変動を監視する該工程中に生体の体温と実質的に同じ温度で該通路部分の温度を維持する工程からさらに成る方法。
【請求項５２】
請求項５１に記載の方法であって、温度を維持する該工程が、該第１および該流路での血液位置の変動を監視する該工程中に生体の体温と実質的に同じ温度で該第１および第２流路の温度を維持することからさらに成る方法。
【請求項５３】
請求項４１に記載の方法であって、循環血液の流入流を第１流路と第２流路に分割する該工程が、該第１血液カラムのための第１予備試験レベルと、該第２血液カラムのための第２予備試験レベルとを確立することから成り、該第１および第２予備試験レベルが互いに異なる方法。
【請求項５４】
請求項５３に記載の方法であって、粘度を計算する該工程が、ｈ1 （ｔ）−ｈ2 （ｔ）として知られる該第１および第２流体カラムの該高さの差を経時的に測定することから成り、ｈ1 （ｔ）が該第１カラムの該高さであり、ｈ2 （ｔ）が該第２カラムの該高さである方法。
【請求項５５】
請求項５４に記載の方法であって、粘度を計算する該工程が、Δｈとして知られる該第１および第２カラムの該高さのオフセット値を検出することから成る方法。
【請求項５６】
請求項５５に記載の方法であって、粘度を計算する該工程が、以下によって得られるようなコンシステンシー指数ｋと指数法則指数ｎとを決定するため、ｈ1 （ｔ）−ｈ2 （ｔ）とΔｈとを用いることから成り、
【数５】
2003515123.tif 000005
式中
【数６】
2003515123.tif 000006
であり、式中
ｈ0 ＝ｈ1 （０）−ｈ2 （０）
Ｌc ＝該通路部分の長さ、
ψc ＝該通路部分の内径、
ψr ＝該第１および第２流体カラムの内径でψc ＜＜＜ψr 、
ρ＝血液密度、
ｇ＝重力定数、
である方法。
【請求項５７】
請求項５６に記載の方法であって、粘度を計算する該工程が、以下の等式のｎとｋの該決定された値を用いることから成り、
【数７】
2003515123.tif 000007
式中
【数８】
2003515123.tif 000008
であり、式中
Ｑ＝該通路部分の流量、
φc ＝通路部分の直径、
γ＝ずり速度である方法。
【請求項５８】
生体の循環血液の粘度測定を実施する装置であって、
生体の血管系に接続されるようにされたルーメンと、
それぞれ第１端部と第２端部を有する１対の管であって、第１端部が幾つかの既知のパラメータを有する毛細管を介して互いに接続される１対の管と、
生体の血管系から該１対の管への循環血流を制御するバルブであって、該１対の管の一方の第２端部に接続され、かつ該ルーメンに接続されるバルブと、
バルブに接続され、該１対の管への血液の流入を可能するようにバルブを制御するアナライザであって、該１対の管のそれぞれの内部の血液が該管に対する各初期位置を取り、該アナライザが、該１対の管内の血液の位置が変わるよう、生体の血管系から該１対の管を分離するよう該バルブを操作するようにもされ、また該アナライザが、該管の一方の血液の位置の変動を監視し、該管の他方の少なくとも１つの血液の位置を検出し、それに基づいて血液の粘度を計算するようにもされるアナライザとから成る装置。
【請求項５９】
請求項５８に記載の装置であって、該管の該他方の少なくとも１つの血液の位置を検出するように該アナライザが、該管の他方の血液位置の変動を監視することから成る装置。
【請求項６０】
請求項５９に記載の装置であって、該装置が、生体の循環血液の粘度測定をリアルタイムで実施するように適合される装置。
【請求項６１】
請求項６０に記載の装置であって、周囲大気へ該１対の管の該他方の該第２端部を換気する手段からさらに成る装置。
【請求項６２】
請求項６０に記載の装置であって、該アナライザが、血液位置の変動の該監視を実施するため、該１対の管の重量の変動を経時的に検出する装置。
【請求項６３】
請求項６０に記載の装置であって、該各初期位置が、該１対の管の一方に対する第１血液カラムの第１予備試験位置と、該１対の管の他方に対する第２血液カラムの第２予備試験位置から成り、該第１予備試験位置と該第２予備試験位置とが互いに異なる装置。
【請求項６４】
請求項６３に記載の装置であって、該１対の管が直立方向にあり、該第１予備試験位置が、該第１血液カラムの第１初期高さから成り、該第２予備試験位置が、該第２血液カラムの第２初期高さから成る装置。
【請求項６５】
請求項６４に記載の装置であって、該アナライザが、該第１および第２血液カラムのカラム高さの変動を検出する装置。
【請求項６６】
請求項６５に記載の装置であって、該アナライザが、該カラムのそれぞれの上部に向かって発せられる信号の飛行時間を検出することで、カラム高さの変動を検出する装置。
【請求項６７】
請求項６６に記載の装置であって、該発せられる信号が音響信号である装置。
【請求項６８】
請求項６４に記載の装置であって、該アナライザが、該第１および第２血液カラムのカラム高さの変動を検出するデジタルビデオカメラを含む装置。
【請求項６９】
請求項６４に記載の装置であって、該アナライザが、血液位置の変動の該監視を実施するため、該第１および第２血液カラムの圧力の変動を経時的に検出する装置。
【請求項７０】
請求項６０に記載の装置であって、該アナライザが、血液の位置の変動の該監視を実施するため、該１対の管の血液の体積の変動を検出する装置。
【請求項７１】
請求項６０に記載の装置であって、環境制御手段からさらに成り、該環境制御手段が、該アナライザが該１対の管を共に接続する時間の間、生体の体温とほぼ同じ温度に該毛細管内の血液を維持する装置。
【請求項７２】
請求項７１に記載の装置であって、該環境制御手段が、該アナライザが該１対の管を共に接続する時間の間、生体の体温とほぼ同じ温度に該１対の管内の血液を維持する装置。
【請求項７３】
請求項６３に記載の装置であって、該１対の管内の血液の該各初期位置が該アナライザの操作により設定される装置。
【請求項７４】
請求項６４に記載の装置であって、該第１初期高さと該第２初期高さとが該アナライザの操作により設定される装置。
【請求項７５】
請求項６３に記載の装置であって、該１対の管内の血液の該位置の変動が、反対方向に移動する該第１および第２血液カラムの各レベルの移動から成り、該アナライザが、該各レベル間の異なる差の値を測定する装置。
【請求項７６】
請求項６４に記載の装置であって、該１対の管内の血液の該位置の変動が、該第１初期高さから離れる下降血液カラムと、該第２初期高さから離れる上昇血液カラムとから成り、該アナライザが、該上昇血液カラムの血液位置の変動を監視し、該下降血液カラムから該少なくとも１個の血液位置を検出する装置。
【請求項７７】
請求項７６に記載の装置であって、該少なくとも１個の血液位置が該第１初期高さである装置。
【請求項７８】
請求項６４に記載の装置であって、該アナライザが、ｈ1 （ｔ）−ｈ2 （ｔ）として知られる該血液カラムの該高さの差を経時的に測定し、ｈ1 （ｔ）が該第１血液カラムの該高さであり、ｈ2 （ｔ）が該第２血液カラムの該高さである装置。
【請求項７９】
請求項７８に記載の装置であって、該アナライザが、血液位置の変動を一定時間監視した後、Δｈとして知られる該血液カラムの該高さのオフセット値を検出する装置。
【請求項８０】
請求項７９に記載の装置であって、該アナライザが、以下によって得られるようなコンシステンシー指数ｋと指数法則指数ｎとを決定するため、ｈ1 （ｔ）−ｈ2 （ｔ）とΔｈとを用いて粘度を計算し、
【数９】
2003515123.tif 000009
式中
【数１０】
2003515123.tif 000010
であり、式中
ｈ0 ＝ｈ1 （０）−ｈ2 （０）
Ｌc ＝毛細管の長さ、
ψc ＝毛細管の内径、
ψr ＝該血液カラムの内径でψc ＜＜＜ψr 、
ρ＝血液密度、
ｇ＝重力定数、
である装置。
【請求項８１】
請求項８０に記載の装置であって、該アナライザが、以下の等式のｎとｋの該決定された値を用いて粘度μを計算し、
【数１１】
2003515123.tif 000011
式中
【数１２】
2003515123.tif 000012
であり、式中
Ｑ＝該毛細管の流量、
φc ＝毛細管直径、
γ＝ずり速度である装置。
【請求項８２】
請求項６０に記載の装置であって、該アナライザが、該１対の管のそれぞれのモニタから成り、該モニタのそれぞれが、該各管の血液位置の変動を監視する装置。
【請求項８３】
請求項８２に記載の装置であって、該各モニタが、各光アレイと、電荷結合素子（ＣＣＤ）とから成る装置。
【請求項８４】
請求項８３に記載の装置であって、該各光アレイが、該管の長さに沿って各管を照射するために線形様式に配置された複数個の発光ダイオードから成る装置。
【請求項８５】
請求項５８に記載の装置であって、該アナライザが、該管の一方での血液位置の変動を監視するモニタと、該管の他方での少なくとも１個の血液位置を検出する検出器とから成る装置。
【請求項８６】
請求項８５に記載の装置であって、該モニタが光アレイと、電荷結合素子（ＣＣＤ）とから成る装置。
【請求項８７】
請求項８６に記載の装置であって、該光アレイが、該管の長さに沿って該管の該一方を照射するため、線形様式に配置された複数個の発光ダイオードから成る装置。
【請求項８８】
請求項８５に記載の装置であって、該検出器が発光ダイオードと光検出器とから成る装置。
【請求項８９】
請求項６０に記載の装置であって、該１対の管が使い捨て式である装置。
【請求項９０】
請求項６０に記載の装置であって、該バルブ機構が使い捨て式である装置。
【請求項９１】
請求項５８に記載の装置であって、該アナライザが容器からさらに成り、該容器が生体の血管系から循環血流の最初の部分を収集する装置。
【請求項９２】
請求項９１に記載の装置であって、該アナライザが、生体の血管系からの循環血流の該最初の部分を検出するための、該バルブの流入口付近にある検出器からさらに成る装置。
【請求項９３】
請求項９２に記載の装置であって、該バルブが、該１対の管を生体の血管系に接続すると同時に、該容器を生体の血管系から分離する装置。
【請求項９４】
請求項８２に記載の装置であって、該各モニタの一つが、該アナライザに生体の血管系から該１対の管を分離させるため、該１対の管の一つにおける所定レベルを検出する装置。
【請求項９５】
生体の循環血液の粘度を測定する方法であって、
（ａ）循環血液の流入流を形成するために生体の循環血液への接近を提供する工程と、
（ｂ）幾つかの既知のパラメータを有する通路を介して互いに接続される１対の管の１端に流入流を導き、それによって、第１および第２管の各カラムを形成するように、該流入流が該１対の管の第１管を通り、通路を通り、該１対の管の第２管の第１部内に流れる工程と、
（ｃ）各該カラム内の血液の位置が変動するように、該流入流から該各カラム分離する工程と、
（ｄ）経時的に該血液カラムの一方における血液の位置を監視する工程と、
（ｅ）該血液カラムの他方で少なくとも１つの血液の位置を検出する工程と、
（ｆ）血液位置変動と、少なくとも１つの血液の位置と、該通路の選択された既知のパラメータとに基づいて循環血液の粘度を計算する工程とから成る方法。
【請求項９６】
請求項９５に記載の方法であって、該血液カラムの他方で少なくとも１つの血液の位置を検出する工程が、該血液カラムの該他方での血液の位置の変動の監視から成り、該粘度を計算する工程が、該血液カラムのそれぞれの該血液位置の変動と、該通路の該選択された既知のパラメータとに基づいて粘度を計算することから成る方法。
【請求項９７】
請求項９６に記載の方法であって、該循環血液の粘度を計算する工程が、リアルタイムで実施される方法。
【請求項９８】
請求項９７に記載の方法であって、該各血液カラムが直立位置にあり、経時的に血液位置の変動を監視する該工程が、経時的に該各カラムのカラム高さの変動を監視することから成る方法。
【請求項９９】
請求項９５に記載の方法であって、該血液カラムが直立位置にある各血液カラムから成り、経時的に血液位置の変動を監視する該工程が、経時的に該カラムの少なくとも一つのカラム高さの変動を監視することから成る方法。
【請求項１００】
請求項９８に記載の方法であって、該第１対の管の１端が周囲大気に換気される方法。
【請求項１０１】
請求項９７に記載の方法であって、該各カラムが直立位置にあり、経時的に血液位置の変動を監視する該工程が、経時的に循環血液の該各カラムの重量の変動を監視することから成る方法。
【請求項１０２】
請求項９７に記載の方法であって、該各カラムが直立位置にあり、経時的に血液位置の変動を監視する該工程が、該カラムのそれぞれの上部に向かって発せられる信号の飛行時間を監視することから成る方法。
【請求項１０３】
請求項１０２に記載の方法であって、該発せられる信号が音響信号である装置。
【請求項１０４】
請求項９８に記載の装置であって、該カラム高さがデジタルビデオカメラによって監視される方法。
【請求項１０５】
請求項９７に記載の方法であって、該各カラムが直立位置にあり、経時的に血液位置の変動を監視する該工程が、経時的に血液の該各カラムの圧力の変動を監視することから成る方法。
【請求項１０６】
請求項９７に記載の方法であって、該各カラムが直立位置にあり、経時的に血液位置の変動を監視する該工程が、経時的に循環血液の該各カラムの質量の変動を監視することから成る方法。
【請求項１０７】
請求項９７に記載の方法であって、該各カラムが直立位置にあり、経時的に血液位置の変動を監視する該工程が、経時的に血液の該各カラムの体積の変動を監視することから成る方法。
【請求項１０８】
請求項９７に記載の方法であって、該各カラムでの血液位置の変動を監視する該工程中に該通路の温度を生体の体温と実質的に同じ温度に維持する工程からさらに成る方法。
【請求項１０９】
請求項１０８に記載の方法であって、温度を維持する該工程が、該各カラムでの血液位置の変動を監視する該工程中に該各カラムの温度を生体の体温と実質的に同じ温度に維持することからさらに成る方法。
【請求項１１０】
請求項９８に記載の方法であって、循環血液の該流入流を一対の管の１端に導く該工程が、該第１血液カラムのための第１予備試験レベルと、該第２血液カラムのための第２予備試験レベルとを確立することから成り、該第１および第２予備試験レベルが互いに異なる方法。
【請求項１１１】
請求項１１０に記載の方法であって、粘度を計算する該工程が、ｈ1 （ｔ）−ｈ2 （ｔ）として知られる該第１および第２流体カラムの該高さの差を経時的に測定することから成り、ｈ1 （ｔ）が該第１カラムの該高さであり、ｈ2 （ｔ）が該第２カラムの該高さである方法。
【請求項１１２】
請求項１１１に記載の方法であって、粘度を計算する該工程が、Δｈとして知られる該第１および第２カラムの該高さのオフセット値を検出することから成る方法。
【請求項１１３】
請求項１１２に記載の方法であって、粘度を計算する該工程が、以下によって得られるようなコンシステンシー指数ｋと指数法則指数ｎとを決定するため、ｈ1 （ｔ）−ｈ2 （ｔ）とΔｈとを用いることから成り、
【数１３】
2003515123.tif 000013
式中
【数１４】
2003515123.tif 000014
であり、式中
ｈ0 ＝ｈ1 （０）−ｈ2 （０）
Ｌc ＝通路部分の長さ、
ψc  ＝該通路部分の内径、
ψr ＝該第１および第２流体カラムの内径でψc ＜＜＜ψr 、
ρ＝血液密度、
ｇ＝重力定数、
である方法。
【請求項１１４】
請求項１１３に記載の方法であって、粘度を計算する該工程が、以下の等式のｎとｋの該決定された値を用いることから成り、
【数１５】
2003515123.tif 000015
式中
【数１６】
2003515123.tif 000016
であり、式中
Ｑ＝該通路部分の流量、
φc ＝通路部分の直径、
γ＝ずり速度である方法。
【請求項１１５】
請求項９５に記載の方法であって、生体の循環血液への接近を提供する該工程が、循環血液の該流入流の有限量の最初の部分を容器に収集することから成る方法。